(57)【要約】【課題】スライド性能に優れたテニス靴の提供。【解決手段】テニス靴のアウトソールは、第一突起１８を有している。この第一突起１８の表面は、接地面２２、側面２４及び傾斜面２６を有している。接地面２２は、実質的に水平方向に延在している。側面２４は、実質的に鉛直方向に延在している。傾斜面２６は、接地面２２と連続している。傾斜面２６は鉛直方向に対して傾斜している。底面視において、傾斜面２６と直交する直線の、ヒールサイドからトウサイドに向かう直線に対する角度は、−８０°以上９０°以下である。接地面２２と傾斜面２６との間の角度は、１１５°以上１４５°以下である。接地面２２の面積は、６ｍｍ２以上５０ｍｍ２以下である。【選択図】図３
2015116231.tif 000002
【特許請求の範囲】
【請求項１】
ベースと、このベースの底面から下方に突出する多数の突起とを有するアウトソールを備えており、
それぞれの突起が、接地面と、この接地面から上記ベースの方向に向かって延在する傾斜面とを有しており、
底面視において、トウサイドからアウトサイド、ヒールサイド及びインサイドを経てトウサイドに戻る回転方向が正方向とされたとき、ヒールサイドからトウサイドに向かう直線に対する角度が−８０°以上９０°以下である直線に対し、上記傾斜面が直交しているテニス靴。
【請求項２】
上記角度が１０°以上８０°以下である直線に対し、上記傾斜面が直交している請求項１に記載のテニス靴。
【請求項３】
上記接地面と上記傾斜面との間の角度が１１５°以上１４５°以下である請求項１又は２に記載のテニス靴。
【請求項４】
上記接地面の面積が６ｍｍ２以上５０ｍｍ２以下である請求項１から３のいずれかに記載のテニス靴。
【請求項５】
上記ベースの底面の、長さ方向においてトウサイドからの距離が長さの１０％以上４０％以下であり、上記底面に画かれうる最長線よりもインサイドであるゾーンにおける、上記突起の数が１０以上である請求項１から４のいずれかに記載のテニス靴。
【請求項６】
上記ベースの底面の、長さ方向においてトウサイドからの距離が長さの１０％以上４０％以下であり、上記底面に画かれうる最長線よりもインサイドであるゾーンにおける、上記底面の面積Ｓに対する、上記底面のうち露出していない部分の面積Ｓ１の比率Ｐ１が、２０％以上である請求項１から５のいずれかに記載のテニス靴。
【請求項７】
上記突起の接地面の面積の、上記突起と上記ベースとの境界面の面積に対する比率Ｐ２が、９０％以下である請求項１から６のいずれかに記載のテニス靴。
【請求項８】
上記突起のアスカーＡ硬度が５０以上である請求項１から７のいずれかに記載のテニス靴。
【請求項９】
ベースとこのベースの底面から下方に突出する多数の突起とを有するアウトソールを備えており、それぞれの突起が接地面とこの接地面から上記ベースに向かって延在する傾斜面とを有するテニス靴の設計方法であって、
（１）測定用靴が地面の上でスライドしているときの水平方向及び鉛直方向の床反力を三次元床反力計で測定するステップ、
（２）上記鉛直荷重及び水平荷重に基づいて、摩擦係数を算出するステップ、
（３）所定の解析区間における、上記摩擦係数が最大である時刻を決定するステップ、
（４）上記時刻における床反力の水平成分のベクトルを求めるステップ、及び
（５）上記ベクトルの方向に基づいて上記傾斜面を配置するステップ
を含む設計方法。
【請求項１０】
上記ステップ（５）において、上記ベクトルと略直交するように、上記傾斜面を配置する請求項９に記載の設計方法。
【請求項１１】
（ａ）上記測定用靴が地面の上でスライドしているときの足圧分布を測定するするステップ、及び
（ｂ）底面視において上記足圧分布が大きい位置に、上記突起を配置するステップ
をさらに含む請求項９又は１０に記載の設計方法。
【発明の詳細な説明】
【技術分野】
【０００１】
本発明は、テニス靴とその設計方法とに関する。詳細には、本発明は、テニス靴のソールの改良に関する。
【背景技術】
【０００２】
テニスのラリーでは、プレーヤーは、コートの中を激しく移動しつつストロークを行う。プレーヤーは、相手のストロークからボールの方向を予測し、目標地点に向かって移動する。目標地点に近づくと、プレーヤーは足を固定し、ストロークの体勢を整える。この後は、プレーヤーの足は地面とスライドする。短い距離ではあるが、スライドによってプレーヤーの体は進む。目標地点に到達したプレーヤーは、ストロークを行う。次にプレーヤーは地面をキックし、次の目標地点へと移動する。
【０００３】
スライドにより、プレーヤーに加わる衝撃が緩和される。スライドにより、プレーヤーの足首の捻挫が抑制されうる。スライドの段階では、テニス靴と地面とが適度にスリップすることが好ましい。テニス靴には、スライド性能が要求される。一方、キックの段階では、テニス靴と地面とがスリップを起こさないことが好ましい。テニス靴には、防滑性能が要求される。特開平７−２１３３０４号公報には、三角形の突出部を備えたテニス靴が開示されている。この突出部は、防滑性能とスライド性能との両立に寄与する。
【先行技術文献】
【特許文献】
【０００４】
【特許文献１】特開平７−２１３３０４号公報
【発明の概要】
【発明が解決しようとする課題】
【０００５】
テニスのゲームにおいてプレーヤーは、主として左右に移動する。特開平７−２１３３０４号公報に開示されたテニス靴では、スライド性能は不十分である。
【０００６】
本発明の目的は、スライド性能に優れたテニス靴の提供にある。
【課題を解決するための手段】
【０００７】
本発明に係るテニス靴は、ベースと、このベースの底面から下方に突出する多数の突起とを有するアウトソールを備える。それぞれの突起は、接地面と、この接地面からベースの方向に向かって延在する傾斜面とを有する。底面視において、トウサイドからアウトサイド、ヒールサイド及びインサイドを経てトウサイドに戻る回転方向が正方向とされたとき、ヒールサイドからトウサイドに向かう直線に対する角度が−８０°以上９０°以下である直線に対し、傾斜面が直交する。
【０００８】
好ましくは、上記角度が１０°以上８０°以下である直線に対し、傾斜面が直交する。
【０００９】
好ましくは、接地面と傾斜面との間の角度は、１１５°以上１４５°以下である。
【００１０】
好ましくは、接地面の面積は、６ｍｍ２以上５０ｍｍ２以下である。
【００１１】
好ましくは、ベースの底面の、長さ方向においてトウサイドからの距離が長さの１０％以上４０％以下であり、底面に画かれうる最長線よりもインサイドであるゾーンにおける、突起の数は、１０以上である。好ましくは、このゾーンにおける、底面の面積Ｓに対する、底面のうち露出していない部分の面積Ｓ１の比率Ｐ１は、２０％以上である。
【００１２】
好ましくは、突起の接地面の面積の、突起とベースとの境界面の面積に対する比率Ｐ２は、９０％以下である。
【００１３】
好ましくは、突起のアスカーＡ硬度は、５０以上である。
【００１４】
本発明に係る設計方法により、ベースとこのベースの底面から下方に突出する多数の突起とを有するアウトソールを備えており、それぞれの突起が接地面とこの接地面からベースに向かって延在する傾斜面とを有するテニス靴が設計されうる。この設計方法は、
（１）測定用靴が地面の上でスライドしているときの水平方向及び鉛直方向の床反力を三次元床反力計で測定するステップ、
（２）上記鉛直荷重及び水平荷重に基づいて、摩擦係数を算出するステップ、
（３）所定の解析区間における、上記摩擦係数が最大である時刻を決定するステップ、
（４）上記時刻における床反力の水平成分のベクトルを求めるステップ、及び
（５）上記ベクトルの方向に基づいて上記傾斜面を配置するステップ
を含む。
【００１５】
好ましくは、上記ステップ（５）において、ベクトルと略直交するように傾斜面が配置される。
【００１６】
好ましくは、この設計方法は、
（ａ）上記測定用靴が地面の上でスライドしているときの足圧分布を測定するするステップ、及び
（ｂ）底面視において上記足圧分布が大きい位置に、上記突起を配置するステップ
をさらに含む。
【発明の効果】
【００１７】
本発明に係るテニス靴では、傾斜面がスライド性能に寄与する。このテニス靴を着用したプレーヤーに加わる衝撃は、小さい。このテニス靴は、プレーヤーの捻挫を抑制する。
【図面の簡単な説明】
【００１８】
【図１】図１は、本発明の一実施形態に係るテニス靴が示された側面図である。
【図２】図２は、図１のテニス靴のアウトソールが示された底面図である。
【図３】図３は、図２のアウトソールの第一突起が示された斜視図である。
【図４】図４は、図３の第一突起が示された底面図である。
【図５】図５は、図４のＶ−Ｖ線に沿った断面図である。
【図６】図６は、図１のテニス靴のための設計方法の一過程において得られた測定結果が示されたグラフである。
【図７】図７は、図１のテニス靴のための設計方法の一過程において得られた測定結果が示されたグラフである。
【図８】図８は、図１のテニス靴のための設計方法の一過程において得られた測定結果が示されたグラフである。
【図９】図９は、図１のテニス靴のための設計方法の一過程において得られた測定結果が示されたグラフである。
【図１０】図１０は、図１のテニス靴のための設計方法の一過程において得られた測定結果が示されたグラフである。
【図１１】図１１は、図１のテニス靴のための設計方法の一過程において得られた測定結果が示されたグラフである。
【発明を実施するための形態】
【００１９】
以下、適宜図面が参照されつつ、好ましい実施形態に基づいて本発明が詳細に説明される。
【００２０】
図１に示されたテニス靴２は、アッパー４、紐６、インソール８、ミッドソール１０及びアウトソール１２を有している。図１において、符号Ｙで示されているのはテニス靴２の長さ方向であり、符号Ｚで示されているのはテニス靴２の高さ方向である。
【００２１】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。アッパー４は、鳩目１４を有している。この鳩目１４に、紐６が通されている。
【００２２】
インソール８は、ミッドソール１０と積層されている。インソール８は、織布で覆われた発泡体からなる。インソール８は、足と接触する。このインソール８は、テニス靴２を履く動作において、足の滑りに寄与する。インソール８はまた、履き心地に寄与する。インソール８が設けられなくてもよい。
【００２３】
ミッドソール１０は、発泡体からなる。ミッドソール１０は、好ましくは、多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２４】
アウトソール１２は、ミッドソール１０の下側に位置している。アウトソール１２は、ミッドソール１０と接合されている。接合は、接着剤によって達成されうる。
【００２５】
図２には、アウトソール１２が示されている。図２において、符号Ｘで示されているのはテニス靴２の幅方向であり、符号Ｙで示されているのはテニス靴２の長さ方向である。このアウトソール１２は、左足用である。右足用のアウトソールは、左足用のアウトソール１２の形状が反転した形状を有する。
【００２６】
図２において、左側がインサイドであり、右側がアウトサイドであり、上側がトウサイドであり、下型がヒールサイドである。図２において符号Ｌ１で示されているのは、長さ線である。長さ線Ｌ１は、底面視において、アウトソール１２の輪郭内に画かれうる最長の線である。長さ線Ｌ１は、トウサイドの端１５ｔからヒールサイドの端１５ｈにまで至っている。長さ線Ｌ１の長さは、符号Ｌで示されている。Ｙ方向（長さ方向）は、長さ線Ｌ１の方向と一致している。Ｘ方向（幅方向）は、長さ線Ｌ１の方向と直交している。
【００２７】
このアウトソール１２は、ベース１６と、多数の第一突起１８と、多数の第二突起２０とを有する。底面視において、それぞれの第一突起１８の輪郭は、円である。底面視において、それぞれの第二突起２０の輪郭は、円である。第一突起１８の三次元形状は、後述される。第二突起２０の三次元形状は、円柱である。底面視において、第一突起１８は、第二突起２０よりも小さい。第一突起１８は、長さ方向の中心よりもトウサイドに位置している。第一突起１８は、長さ線Ｌ１よりもインサイドに位置している。
【００２８】
第一突起１８は、ベース１６の底面から下方に突出している。第一突起１８は、ベース１６と一体的に成形されている。第一突起１８がベース１６とは別に成形されてもよい。ベース１６とは別に成形された第一突起１８は、接着剤によってベース１６に接合されうる。
【００２９】
第二突起２０は、ベース１６の底面から下方に突出している。第二突起２０は、ベース１６と一体的に成形されている。第二突起２０がベース１６とは別に成形されてもよい。ベース１６とは別に成形された第二突起２０は、接着剤によってベース１６に接合されうる。
【００３０】
ベース１６、第一突起１８及び第二突起２０は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース１６、第一突起１８及び第二突起２０が、合成樹脂又はエラストマーからなってもよい。ベース１６が架橋ゴムからなり、第一突起１８及び第二突起２０が合成樹脂又はエラストマーからなってもよい。
【００３１】
図３−５には、第一突起１８が示されている。図５には、この第一突起１８と共に、ベース１６も示されている。第一突起１８の表面は、接地面２２、側面２４及び傾斜面２６を有している。接地面２２は、実質的に水平方向に延在している。側面２４は、実質的に鉛直方向に延在している。傾斜面２６は、接地面２２と連続しており、この接地面２２からベース１６に向かう方向に延在している。傾斜面２６は、鉛直方向に対して傾斜している。傾斜の方向は、ベース１６から接地面２２の方向（図５における上方向）に向かって第一突起１８が先細りとなる方向である。第一突起１８は、円柱の一部が平面で切り取られた形状を有する。従って、傾斜面２６は平坦である。傾斜面２６が曲面であってもよい。
【００３２】
図４において符号αで示されているのは、底面視において、傾斜面２６と直交する直線の、ヒールサイドからトウサイドに向かう直線に対する角度である。トウサイドからアウトサイド、ヒールサイド及びインサイドを経てトウサイドに戻る回転方向は、角度αの正方向である。換言すれば、左足用のテニス靴２では、底面視における時計回りが、角度αの正方向である。右足用のテニス靴では、底面視における反時計回りが、角度αの正方向である。
【００３３】
図５において符号βで示されているのは、接地面２２と傾斜面２６との間の角度である。
【００３４】
図５における二点鎖線２８は、ベース１６と第一突起１８との境界面を表している。境界面２８は、ベース１６の底面３０のうち、第一突起１８で覆われた部分である。
【００３５】
以下、このテニス靴２の設計方法が説明される。この設計方法のために、三次元床反力計が準備される。この床反力計は、テニス用人工芝の下に置かれる。プレーヤーは、測定用靴を着用する。この測定用靴のアウトソールは、多数の突起を有している。これらの突起は、アウトソールの底面に均一に分布している。それぞれの突起は、円柱形状を有している。測定用靴を着用したプレーヤーは、人工芝の上で、ラリーを行う。
【００３６】
ラリー中のスライドの場面は、測定用靴が接地した時点から、測定用靴の速度がゼロに到達した時点までである。図６には、スライドの開始時点からスライドの終了時点までの、測定用靴の速度の測定結果の一例が示されている。図６では、時刻Ｔ２において、速度がゼロに到達している。換言すれば、時刻Ｔ２は、スライドが終了した時刻である。図６における時刻Ｔ１は、時刻Ｔ２の１／２である。
【００３７】
スライド中に測定用靴に生じる荷重（床反力）のベクトルが、三次元床反力計によって計測されうる。このベクトルの水平成分が、図７に示されている。このベクトルの垂直成分が、図８に示されている。
【００３８】
水平荷重が垂直荷重で除されることにより、摩擦係数が算出されうる。スライド中の摩擦係数が、図９に示されている。
【００３９】
プレーヤーの捻挫を抑制するには、スライドの前半において、テニス靴２の摩擦係数が小さいことが好ましい。換言すれば、スライド開始から時刻Ｔ１（図６参照）までの区間において、テニス靴２の摩擦係数が小さいことが好ましい。
【００４０】
測定用靴のスライド開始から時刻Ｔ１までの区間において、摩擦係数が最大である時刻Ｔｍａｘが、決定される。このＴｍａｘが、図９に示されている。この時刻Ｔｍａｘにおける、床反力の水平成分のベクトルが求められる。さらに、このベクトルの、ヒールサイドからトウサイドに向かう方向に対する角度θが、決定される。図１０の例では、時刻Ｔｍａｘにおけるベクトルの角度θは、約５０°である。異なる区間において、摩擦係数が最大である時刻が決定されてもよい。区間は、プレーヤーの個性、テニスコートの特性等が考慮されて、適宜決定される。
【００４１】
このベクトルの角度θに基づき、底面視における傾斜面２６の角度α（図４参照）が決定される。好ましくは、角度θと角度αとの差（θ−α）の絶対値が３０°以下となるように、傾斜面２６が配置される。差（θ−α）の絶対値が２０°以下となるように傾斜面２６が配置されることが、より好ましい。差（θ−α）の絶対値が１０°以下となるように傾斜面２６が配置されることが、特に好ましい。理想的な差（θ−α）の絶対値は、ゼロである。本実施形態では、差（θ−α）の絶対値は、実質的にはゼロである。換言すれば、傾斜面２６がベクトルと実質的に直交する。
【００４２】
好ましくは、三次元床反力の測定と同期されて、スライド中の足圧分布が測定される。この測定は、測定用靴に挿入された足圧センサ（例えばニッタ社の「ｆ−ｓｃａｎ」）によってなされる。足圧センサによって、スライド中の各時点の足圧分布が求められる。時刻Ｔｍａｘにおける足圧が最大となる箇所が決定される。この位置に、第一突起１８が配置される。通常のラリーでは、時刻Ｔｍａｘにおける足圧が最大となる箇所の、長さ方向におけるトウサイドからの距離は、長さＬの１０％以上４０％以下である。通常のラリーでは、時刻Ｔｍａｘにおける足圧が最大となる箇所は、長さ線Ｌ１よりもインサイドである。
【００４３】
このテニス靴２では、時刻Ｔｍａｘにおける水平成分のベクトルの方向が、底面視において、傾斜面２６とほぼ直交している。この傾斜面２６は、傾斜しているがゆえに、テニス靴２のスライドを阻害しにくい。このテニス靴２は、スライド性能に優れる。テニス靴２が着地した直後において、このテニス靴２は十分にスライドする。従って、着地した直後にプレーヤーに加わる衝撃は、小さい。このテニス靴２は、プレーヤーの足首の捻挫を抑制する。
【００４４】
この設計方法では、ラリーにおけるスライドが繰り返され、それぞれのスライドにおける角度θが測定される。多数の測定結果に基づく角度θのヒストグラムが、図１１に示されている。図１１から明らかな通り、角度θは−８０°から９０°の範囲に分布している。この測定結果から、傾斜面２６の好ましい角度αが−８０°以上９０°以下であることが分かる。角度αがこの範囲であるテニス靴２は、スライド性能に優れる。スライド性能の観点から、角度αは１０°以上８０°以下がより好ましく、５０°以上６０°以下が特に好ましい。
【００４５】
接地面２２と傾斜面２６との間の角度β（図５参照）は、１１５°以上１４５°以下が好ましい。角度βが１１５°以上である第一突起１８は、スライド性能に寄与しうる。この観点から、角度βは１２０°以上がより好ましく、１２５°以上が特に好ましい。角度βが１４５°以下である第一突起１８は、防滑性能に優れる。この観点から、角度βは１４０°以下が特に好ましい。
【００４６】
図５において、矢印Ｈ１で示されるのは第一突起１８の高さであり、矢印Ｈ２で示されているのは傾斜面２６の高さである。高さＨ２に対する高さＨ１の比率は１０％以上が好ましく、３０％以上がより好ましく、４０％以上が特に好ましい。この比率が１００％でもよい。
【００４７】
それぞれの接地面２２の面積は、６ｍｍ２以上５０ｍｍ２以下が好ましい。この面積が６ｍｍ２以上である第一突起１８は、耐摩耗性に優れる。この観点から、この面積は８ｍｍ２以上がより好ましく、１０ｍｍ２以上が特に好ましい。この面積が５０ｍｍ２以下である第一突起１８は、地面を押し固める。地面の押し固めにより、優れたグリップ性が発揮される。この観点から、この面積は４０ｍｍ２以下がより好ましく、３０ｍｍ２以下が特に好ましい。
【００４８】
第一突起１８における、接地面２２の面積の、境界面２８の面積に対する比率Ｐ２は、９０％以下が好ましい。比率Ｐ２が９０％以下である第一突起１８では、傾斜面２６のサイズが大きい。この第一突起１８は、スライド性能に寄与しうる。この観点から、比率Ｐ２は８５％以下がより好ましく、８０％以下が特に好ましい。防滑性能の観点から、比率Ｐ２は４０％以上が好ましい。
【００４９】
第一突起１８のアスカーＡ硬度は、５０以上が好ましい。この硬度が５０以上である第一突起１８は、地面に突き刺さりやすい。この観点から、この硬度は５３以上がより好ましく、５５以上が特に好ましい。アスカーＡ硬度は、タイプＡのデュロメータによって測定される。測定には、厚みが２ｍｍ以上であるシート状の試験片が用いられる。測定時には、３枚の試験片が重ねられる。第一突起１８が樹脂組成物からなる場合、この樹脂組成物と同じ樹脂組成物からなる試験片が用いられる。第一突起１８がゴム組成物が架橋されることで成形されている場合、このゴム組成物と同じゴム組成物が架橋されることで成形された試験片が用いられる。試験片の架橋温度は１６０℃であり、架橋時間は１０分である。測定では、デュロメータの押針の先端が、試験片の端から１２ｍｍ以上離れるようなサイズの試験片が用いられる。試験片は、固くて剛性があり平坦である下地の上に置かれる。押針が試験片の測定面に対して垂直となるように、デュロメータが保持される。この状態から、デュロメータの加圧面に衝撃が加わらない範囲でなるべく速やかに、この加圧面を試験片に密着させる。密着後１秒以内に、デュロメータのメモリを読む。
【００５０】
ベース１６の底面３０の、長さ方向においてトウサイドからの距離が長さＬの１０％以上４０％以下であり、長さ線Ｌ１よりもインサイドであるゾーンＡにおける、第一突起１８の数Ｎ１ａは、３０以上が好ましい。この数Ｎ１ａが３０以上であるテニス靴２は、スライド性能と防滑性能とに優れる。この観点から、この数Ｎ１ａは４０以上が好ましく、５０以上が特に好ましい。この数Ｎ１ａは、２００以下が好ましい。テニス靴２の全体における第一突起１８の総数Ｎ１は、１０以上７００以下が好ましい。
【００５１】
ゾーンＡにおける第二突起２０の数Ｎ２ａは、２０以下が好ましく、１０以下が特に好ましい。Ｎ２ａが、ゼロでもよい。テニス靴２の全体における第二突起２０の総数Ｎ２は、３０以上５００以下が好ましい。
【００５２】
ベース１６の底面３０は、
（ｉ）第一突起１８に覆われている部分
（ii）第二突起２０に覆われている部分
（iii)露出している部分
からなる。第一突起１８に覆われている部分（ｉ）は、露出していない部分である。第二突起２０に覆われている部分（ii）も、露出していない部分である。露出している部分（iii)は、いずれの突起にも覆われていない部分である。
【００５３】
ゾーンＡにおける、底面３０の面積は、「Ｓ」で表される。このゾーンＡにおける、底面３０のうち露出していない部分の面積は、「Ｓ１」で表される。面積Ｓに対する面積Ｓ１の比率Ｐ１は、２０％以上が好ましい。比率Ｐ１が２０％以上であるテニス靴２では、突起の座屈が抑制される。この観点から、比率Ｐ１は３０％以上が特に好ましい。防滑性能の観点から、比率Ｐ１は７０％以下が好ましく、６０％以下が特に好ましい。
【実施例】
【００５４】
以下、実施例によって本発明の効果が明らかにされるが、この実施例の記載に基づいて本発明が限定的に解釈されるべきではない。
【００５５】
［実施例１］
ポリブタジエンが基材ゴムであるゴム組成物を、モールドに投入した。このゴム組成物を加圧しかつ加熱して、ベース、第一突起及び第二突起を有するアウトソールを成形した。このアウトソールに、アッパー、ミッドソール及びインソールをアッセンブリーし、実施例１のテニス靴の対を得た。この対は、右足用テニス靴及び左足用テニス靴からなる。それぞれのテニス靴では、第一突起の総数Ｎ１は１１０であり、ゾーンＡにおける第一突起の数Ｎ１ａは９０であり、第二突起の総数Ｎ２は１４４であり、ゾーンＡにおける第二突起の数Ｎ２ａは１２である。アウトソールの仕様の詳細が、下記の表２に示されている。このアウトソールは、図２に示された形状を有する。
【００５６】
［比較例１］
第一突起を設けず、多くの第二突起を設けた他は実施例１と同様にして、比較例１のテニス靴を得た。
【００５７】
［実施例２−５及び比較例２−３］
傾斜面の角度αを下記の表１−２に示される通りとした他は実施例１と同様にして、実施例２−５及び比較例２−３のテニス靴を得た。
【００５８】
［実施例６−９］
接地面と傾斜面との間の角度βを下記の表３に示される通りとした他は実施例１と同様にして、実施例６−９のテニス靴を得た。
【００５９】
［実施例１０−１３］
接地面の面積の、境界面の面積に対する比率Ｐ２を下記の表４に示される通りとした他は実施例１と同様にして、実施例１０−１３のテニス靴を得た。
【００６０】
［実施例１４−１９］
ゾーンＡに第一突起のみを設け、この第一突起の数とサイズを下記の表５に示される通りとした他は実施例１と同様にして、実施例１４−１９のテニス靴を得た。
【００６１】
［実施例２０−２２］
ゾーンＡに第一突起のみを設け、この第一突起の数と比率Ｐ１とを下記の表６に示される通りとした他は実施例１と同様にして、実施例２０−２２のテニス靴を得た。
【００６２】
［評価］
テニス靴を、プレーヤーに着用させた。このプレーヤーに、砂入り人工芝のテニスコートでラリーを行わせた。このプレーヤーに、スライド性能及び防滑性能について、下記の基準に基づいて格付けさせた。この結果が、下記の表１−６に示されている。
Ａ：よい
Ｂ：ややよい
Ｃ：やや悪い
Ｄ：悪い
【００６３】
【表１】
2015116231.tif 000003
【００６４】
【表２】
2015116231.tif 000004
【００６５】
【表３】
2015116231.tif 000005
【００６６】
【表４】
2015116231.tif 000006
【００６７】
【表５】
2015116231.tif 000007
【００６８】
【表６】
2015116231.tif 000008
【００６９】
表１−６に示されるように、各実施例のテニス靴は、スライド性能に優れている。この評価結果から、本発明の優位性は明らかである。
【産業上の利用可能性】
【００７０】
本発明に係るテニス靴は、砂入り人工芝コート、クレーコート、グラスコート等において使用されうる。
【符号の説明】
【００７１】
２・・・テニス靴
４・・・アッパー
１２・・・アウトソール
１６・・・ベース
１８・・・第一突起
２０・・・第二突起
２２・・・接地面
２４・・・側面
２６・・・傾斜面
【図１】
2015116231.tif 000009
【図２】
2015116231.tif 000010
【図３】
2015116231.tif 000011
【図４】
2015116231.tif 000012
【図５】
2015116231.tif 000013
【図６】
2015116231.tif 000014
【図７】
2015116231.tif 000015
【図８】
2015116231.tif 000016
【図９】
2015116231.tif 000017
【図１０】
2015116231.tif 000018
【図１１】
2015116231.tif 000019